(57)【要約】【課題】殺菌、除菌、抗菌作用の他に臭いを除去したり、肌にやさしい柔らかい水質とすることができ、ケース内を通過する流通水の水圧の低下を防止する浄水具を提供する。【解決手段】水の入口５と出口６を設けた銅または銅合金製または合成樹脂製ケース７に、銅または銅合金の不織布状繊維８と、粉状或いは小片状の竹の木炭９を収容する。ケース７とホース２とを第１のワンタッチ式係脱機構10及び第２のワンタッチ式係脱機構11により着脱自在に接続し、前記ケース７内の繊維８と木炭９の水の出口６側には流路面積制限部材52,52がそれぞれ設けられている。銅の繊維８による銅の微量作用により抗菌、除菌、殺菌の作用がなされる。木炭９により臭いを除去し、水質を肌にやさしい柔らかい水質とすることができる。竹の漢方薬成分を水に溶かすことができる。また、ケース７内を通過する流通水の水圧の低下を防ぎ、誰でも簡単に浄水具４を取付けることが可能である。【選択図】図１
0003121904.tif 000002
【実用新案登録請求の範囲】
【請求項１】
ホースまたはシャワー用ノズルに取り付けられる水の入口と出口を設けたケースに、銅または銅合金の繊維と木炭を収容する浄水具において、
前記ケースに、前記繊維からなる第１のカートリッジと、前記木炭からなる第２のカートリッジとを収容し、前記ケースの内部に、前記ケース内部の流路の断面積より小に形成された通路を備えた流路面積制限部材が、前記第１のカートリッジ及び前記第２のカートリッジにおけるそれぞれ前記水の流路の出口側に対し設けられたことを特徴とする浄水具。
【請求項２】
前記浄水具を前記ホースまたはシャワー用ノズルに対してワンタッチ式係脱機構を介して着脱可能に構成し、前記ワンタッチ式係脱機構は、ソケット本体と、前記ソケット本体に嵌合可能なプラグ本体とから構成され、前記ソケット本体と前記プラグ本体との接続面に係止可能な施錠子を備えるとともに、前記ソケット本体と前記プラグ本体とを接続した状態をシールするＯリングを前記接続面に備えたことを特徴とする請求項１記載の浄水具。
【請求項３】
前記木炭は竹の木炭であることを特徴とする請求項１又は２に記載の浄水具。
【請求項４】
前記繊維は不織布状であり、前記木炭は粉状或いは小片状であることを特徴とする請求項３記載の浄水具。
【請求項５】
前記ケースは銅または銅合金からなることを特徴とする請求項４記載の浄水具。
【請求項６】
前記ケースは合成樹脂製からなることを特徴とする請求項４記載の浄水具。
【請求項７】
前記ケースの一側に前記入口が設けられると共に、他側に前記出口が設けられ、かつ前記入口と出口を結ぶ流路の途中に前記繊維と前記木炭が設けられたことを特徴とする請求項１〜６のいずれか１項に記載の浄水具。
【考案の詳細な説明】
【技術分野】
【０００１】
本考案は、殺菌、除菌、抗菌作用の他に臭いを除去したり、肌にやさしい柔らかい水質とすることができる浄水具に関する。
【背景技術】
【０００２】
従来、水の浄化を行うものとして特開平８−７１３４０号公報のフィルター（特許文献１）が知られている。このフィルターは銅繊維を筒に詰めたものである。このようなフィルターにおいては、フィルターによりゴミなどを捕捉すると共に銅特有の殺菌、除菌、抗菌作用（微量作用）により浄水を行うというものである。
【０００３】
しかしながら、銅により浄水するものでは臭いを除去したり、肌にやさしい柔らかい水質とすることができないという問題があり、その課題を解決するものとして、ホースまたはシャワー用ノズルに取り付けられる水の入口と出口を設けたケースに、銅または銅合金の繊維と木炭を収容する浄水具がある（特許文献２）。
【特許文献１】特開平８−７１３４０号公報
【特許文献２】登録実用新案第３０７８０１０号公報
【考案の開示】
【考案が解決しようとする課題】
【０００４】
しかし、特許文献２の浄水具では、ケース内部に水を流した場合に、水圧によりケース内の水の出口側に向かって前記銅又は銅合金の繊維と木炭が押され、ケース内の流路を妨げるため、水の流れが悪くなる。このため、高層マンションや、高層アパート等の高い所では、水圧によって、流通水が弱い（水圧が低い為に流量が少ない）所があり、そのようなところで特許文献２の浄水具を使用すると、ケースに設けられた銅又は銅合金の繊維と木炭を接触、通過することによって起こる圧力損失により、一層シャワーから供給される水の圧力が低くなり、シャワーとしての機能を果たせず、前記流通水の弱い所での使用には適さないという課題があった。
【０００５】
そこで、本考案は、殺菌、除菌、抗菌作用の他に臭いを除去したり、肌にやさしい柔らかい水質とすることができ、ケース内を通過する流通水の水圧の低下を防止する浄水具を提供することを目的とする。
【課題を解決するための手段】
【０００６】
請求項１の考案は、ホースまたはシャワー用ノズルに取り付けられる水の入口と出口を設けたケースに、銅または銅合金の繊維と木炭を収容する浄水具において、前記ケースに、前記繊維からなる第１のカートリッジと、前記木炭からなる第２のカートリッジとを収容し、前記ケースの内部に、前記ケース内部の流路の断面積より小に形成された通路を備えた流路面積制限部材が、前記第１のカートリッジ及び前記第２のカートリッジにおけるそれぞれ前記水の流路の出口側に対し設けられたことである。
【０００７】
請求項２の考案は、前記浄水具を前記ホースまたはシャワー用ノズルに対してワンタッチ式係脱機構を介して着脱可能に構成し、前記ワンタッチ式係脱機構は、ソケット本体と、前記ソケット本体に嵌合可能なプラグ本体とから構成され、前記ソケット本体と前記プラグ本体との接続面に係止可能な施錠子を備えるとともに、前記ソケット本体と前記プラグ本体とを接続した状態をシールするＯリングを前記接続面に備えたことである。
【０００８】
請求項３の考案は、前記木炭は竹の木炭であることである。
【０００９】
請求項４の考案は、前記繊維は不織布状であり、前記木炭は粉状或いは小片状であることである。
【００１０】
請求項５の考案は、前記ケースは銅または銅合金からなることである。
【００１１】
請求項６の考案は、前記ケースは合成樹脂製からなることである。
【００１２】
請求項７の考案は、前記ケースの一側に前記入口が設けられると共に、他側に前記出口が設けられ、かつ前記入口と出口を結ぶ流路の途中に前記繊維と前記木炭が設けられたことである。
【考案の効果】
【００１３】
請求項１の構成によれば、繊維により銅の微量作用を発揮でき、また木炭により脱臭作用等を発揮できる。また、ケース内部の流路に水圧の負担がかからず、第１のカートリッジから第２のカートリッジへ、一層、二層と流通する間に一段と臭い等を除去して肌にやさしい水を確実に作ることが可能となる。さらに、高層マンションや高層アパート等の高い所における流通水の弱い所での使用も可能とした。
【００１４】
請求項２の考案は、誰でも簡単に浄水具の取付けが可能となり、施錠子とＯリングとを組み合わせたことにより、ワンタッチ式係脱機構を確実に接続し接続部分の水漏れを防止する。
【００１５】
請求項３の構成によれば、竹は漢方薬ともなるのでその漢方成分を水に含ませることができる。
【００１６】
請求項４の構成によれば、水と不織布状の銅或いは銅合金、水と粉状或いは小片状の木炭との接触面積を大きくすることができる。
【００１７】
請求項５の構成によれば、ケース自体でも微量作用を発揮できるとともに、様々な器具に適合しやすく設計することができる。
【００１８】
請求項６の構成によれば、様々な器具に適合しやすく設計することができる。
【００１９】
請求項７の構成によれば、水路に沿って銅繊維の微量作用、木炭の脱臭作用等を水に発揮できる。
【実施例１】
【００２０】
以下、本考案の実施形態について添付図を参照して説明する。図１乃至図８は、本考案の第１実施例である。浴室のシャワーは図４に示すように水の蛇口１にホース２を介してシャワーヘッドたるノズル３が接続されている。そして、ホース２の途中に浄水具４が取り付けられる。浄水具４は、一側に水の入口５を設けると共に他側に水の出口６を設けたほぼ円筒形のケース７の内側に、銅または黄銅等銅合金の繊維からなる第１のカートリッジ８と表面が黒色の木炭からなる第２のカートリッジ９を収容したものである。
【００２１】
図１に示すように、入口側ホース２Ａと浄水具４の水の入口５との間には、第１のワンタッチ式係脱機構10が設けられ、出口側ホース２Ｂと浄水具４の水の出口６との間には、第２のワンタッチ式係脱機構11が設けられている。
【００２２】
前記第１のワンタッチ式係脱機構10は、ソケット本体12及びプラグ本体13により構成されており、ソケット本体12の筒型主部材14の外周面に形成された段部15には、弾性部材たるばね（コイルスプリング）16が備えられており、そのコイルスプリング16の一側つまり浄水具４の出口６側には、筒型主部材14の外周面にスライド自在に設けられた筒体である可動筒17の内周面に形成された凸条18が当接している。
【００２３】
さらに、筒型主部材14の後端には、環状に形成されたストッパ部材19が嵌合され、前記凸条18とは、当接可能な位置に設けられている。このストッパ部材19は、金属製でも合成樹脂製でも構わないものとする。
【００２４】
また、筒型主部材14の後端付近には、錐状にテーパをなして形成された貫通部20が周方向に複数形成されており、その貫通部20には、ステンレス鋼等の金属からなる球状の施錠子21がそれぞれ配されており、施錠子21は前記可動筒17の凸条18と当接可能な関係に設けられている。
【００２５】
そして、筒型主部材14の内周面には段部22が形成されており、後述するプラグ本体13の筒型主部材23の先端と当接可能に形成されている。
【００２６】
さらに、筒型主部材14の先端には先細となるようにテーパ状とした入口５が設けられており、さらに入口５に差しこんだ入口側ホース２Ａを外側から加締する為の固定リング24が螺子25によって着脱自在に設けられる。
【００２７】
また、図１乃至図２に示すようにプラグ本体13は、プラグ本体13の筒型主部材23の先端側に円周溝26を形成し、その円周溝26にＯリング27を装着している。
【００２８】
そして、筒型主部材23の中央部分には、外周溝28が形成されており、さらにその筒型主部材23の後端部分には、銅又は銅合金又は合成樹脂製からなるケース７における円筒状のケース本体29の入口側開口部に螺子30により着脱自在な入口キャップ31が一体に連設されている。
【００２９】
また、図１に示すように第２のワンタッチ式係脱機構11は、第１のワンタッチ式係脱機構10同様、ソケット本体32及びプラグ本体33により構成されており、前記ソケット本体32の筒型主部材34の外周面に形成された段部35には、弾性部材たるばね（コイルスプリング）36が備えられており、そのコイルスプリング36の一側つまり浄水具４の入口５側には、筒型主部材34の外周面にスライド自在に設けられた筒体である可動筒37の凸条38が当接している。
【００３０】
さらに、筒型主部材34の後端には、環状に形成されたストッパ部材39が嵌合され、前記凸条38とは、当接可能な位置に設けられている。
【００３１】
また、筒型主部材34の後端付近には、錐状にテーパをなして形成された貫通部40が周方向に複数形成されており、その貫通部40には、ステンレス鋼等の金属からなる球状の施錠子41がそれぞれ配されており、施錠子41は前記可動筒37の凸条38と当接可能な関係に設けられている。
【００３２】
そして、筒型主部材34の内周面には段部42が形成されており、後述するプラグ本体33の筒型主部材43の先端と当接可能に形成されている。
【００３３】
さらに、筒型主部材34の先端には先細となるようにテーパ状とした出口６が設けられており、さらに出口６に差しこんだ出口側ホース２Ｂを外側から加締する為の固定リング44が螺子45によって着脱自在に設けられる。
【００３４】
また、図１乃至図２に示すようにプラグ本体33は、プラグ本体33の筒型主部材43の先端側に円周溝46を形成し、その円周溝46にＯリング47を装着している。
【００３５】
そして、筒型主部材43の中央部分には、外周溝48が形成されており、さらにその筒型主部材43の後端部分には、前記ケース本体29の出口側開口部に螺子49により着脱自在な出口キャップ50が一体に連設されている。
【００３６】
前記第１のカートリッジ８と第２のカートリッジ９はケース７の入口５と出口６を結ぶ流路Ｘの途中に設けられており、第１のカートリッジ８の出口６側、さらに前記第１のカートリッジ８と前記第２のカートリッジ９との間（つまり、第２のカートリッジ９の出口６側）には、ケース７の内径Ｄに対し小径である内径Ｅに形成された通路51を備えた流路面積制限部材たるリング体52がそれぞれ配置されている。
【００３７】
前記第１のカートリッジ８における銅または黄銅等銅合金の繊維は、手で容易に折り曲げ可能な極細状であって、たとえば直径が１０〜３０ミクロンメートルであり、不織布状となって収容されている。前記第２のカートリッジ９における木炭は竹の木炭（竹炭）であって、粉状或いは小片状に形成され、合成樹脂等の不織布19によって包装されている。尚、図中53はケース本体29の端部と入口キャップ31、出口キャップ50との間に介在したパッキンである。
【００３８】
つぎに前記構成によりその作用を説明する。蛇口１の水は、入口側ホース２Ａ、浄水具４、出口側ホース２Ｂを通ってノズル３より散水する。この際水は浄水具４の第１のカートリッジ８における銅または黄銅等銅合金の繊維に接触することにより、銅の微量作用により抗菌、除菌、殺菌の作用がなされる。また水は浄水具４の第２のカートリッジ９における木炭と接触することにより不快な臭いを除去する等して水を浄化するものである。さらに、竹の木炭にある漢方薬成分も水中に溶け込む。
【００３９】
また、第１のワンタッチ式係脱機構10における作用を説明すると、図５のように分解された状態の第１のワンタッチ式係脱機構10におけるソケット本体12とプラグ本体13とを、図６のようにソケット本体12の可動筒17を軸方向にコイルスプリング16に抗してスライドさせ、施錠子21を筒型主部材14の半径方向に変位可能な状態にする。そのまま、ソケット本体12とプラグ本体13を嵌合させると、施錠子21は半径方向に変位可能な為、プラグ本体13の外周溝28を構成する凸条たる外周溝28の縁28aが乗り越えが可能であり、そのまま施錠子21を外周溝28の縁28aに対し乗り越えさせ（図７参照）、プラグ本体13の筒型主部材23の先端をソケット本体12の筒型主部材13の段部15に当接させると、施錠子21はプラグ本体13の外周溝28に係止可能となる（図８参照）。
【００４０】
そして、可動筒17をコイルスプリング16の復元力によりスライドさせると、可動筒17の凸条18により施錠子21は前記半径方向中心に向かって押圧されるので、施錠子21の前記半径方向の変位が規制され、固定された施錠子21によりソケット本体12とプラグ本体13は接続状態で固定される（図１参照）。このとき、コイルスプリング16の復元力により、スライドする可動筒17は、筒型主部材14に設けられたストッパ部材19により脱落が防止されており、これにより、ソケット本体12とプラグ本体13の接続が完了する（図１参照）。
【００４１】
また、ソケット本体12とプラグ本体13とは、プラグ本体13の筒型主部材23の先端に設けられたＯリング27によりソケット本体12とプラグ本体13の接続部分はシールされている。
【００４２】
なお、第２のワンタッチ式係脱機構11の操作手順については、前述した第１のワンタッチ式係脱機構10と同様な為、省略する。
【００４３】
浄水具４に通水した状況を説明すると、入口側ホース２Ａからケース本体29内部に流れ入れられた水は、ケース７内部の第１のカートリッジ８に接触・通過後に、第１のカートリッジ８の出口６側に配されたリング体52の通路51を通過することで、一次的に流速が高められ、その高められた流速のまま水が第２のカートリッジ９に接触することで、第１のカートリッジ８を通過するときに生じる水の流量の低下を補填している。同様に第２のカートリッジ９の出口６側に配されたリング体52により第２のカートリッジ９を通過したときに生じる水の流量の低下が補填される。
【００４４】
このように、ケース７内部に配置される第１のカートリッジ８及び第２のカートリッジ９における出口６側にリング体52,52を配することにより、出口側ホース２Ｂから出される水の流量の低下（水圧の低下）が防止される為、リング体52を設けずに第１のカートリッジ８及び第２のカートリッジ９をケース本体29内部に配置し水を流した場合に起こる、水圧により水の出口６側に各カートリッジ８,９が押され水の流れが悪くなることを回避する。
【００４５】
また、前記のケース７を銅又は銅合金又は合成樹脂製から形成することにより、様々な機器に適合可能に設計することが可能となる。
【００４６】
さらに、銅繊維８と木炭９の出口６側にリング体52,52を入れることにより、流路Ｘに水圧の負担がかからず、第１のカートリッジ８から第２のカートリッジ９へと一層、二層と流通する間に、一段と臭い等を除去し、肌にやさしい水作りを確実に発揮できる。
【００４７】
そして、ケース７を銅又は銅合金により形成することで、ケース７自体でも銅の微量作用を発揮可能とする。
【００４８】
また、ケース７に送られるホースの通水量については、高層マンションや、高層アパート等の高い所では、水圧によって、流通水が弱い所にも使用できる様にケース７の中を工夫して、第１のカートリッジ８と第２のカートリッジ９のそれぞれ出口６側にリング体52を入れることで、流通水の弱い所での使用を可能とした。
【００４９】
さらに、誰でも簡単に取付けをできる様に浄水具４とホース２（２Ａ,２Ｂ）との接続方式にワンタッチ式を採用し、また水漏れがない様にステンレスボール（施錠子21,41）式とＯリング式27,47とを組み合せて接続機構に取り入れることで、水漏れが起きない工夫をしている。
【００５０】
以上のように、前記実施例では請求項１に対応して、ホース２に取り付けられる水の入口５と出口６を設けたケース７に、銅または銅合金の繊維８と木炭９を収容する浄水具４において、前記ケース７に、前記繊維からなる第１のカートリッジ８と、前記木炭からなる第２のカートリッジ９とを収容し、前記ケース７の内部に、前記ケース７内部の流路Ｘの断面積より小に形成された通路51を備えた流路面積制限部材52が、前記第１のカートリッジ８及び前記第２のカートリッジ９におけるそれぞれ前記水の流路Ｘの出口６側に対し設けられたことにより、繊維８の銅による銅の微量作用により抗菌、除菌、殺菌の作用がなされ、さらに木炭９による臭い除去等により水質を肌にやさしい柔らかい水質として、快適にシャワーをあびることができる。また、ケース７内部の流路Ｘに水圧の負担がかからず、第１のカートリッジ８から第２のカートリッジ９へ、一層、二層と流通する間に一段と臭い等を除去して肌にやさしい水を確実に作ることが可能となる。さらに、高層マンションや高層アパート等の高い所における流通水の弱い所での使用も可能とした。
【００５１】
また、前記実施例では請求項２に対応して、前記浄水具４を前記ホース２に対してワンタッチ式係脱機構10,11を介して着脱可能に構成し、前記ワンタッチ式係脱機構10は、ソケット本体12と、前記ソケット本体12に嵌合可能なプラグ本体13とから構成され、前記ソケット本体12と前記プラグ本体13との接続面に係止可能な施錠子21を備えるとともに、前記ソケット本体12と前記プラグ本体13とを接続した状態をシールするＯリング27を前記接続面に備えたことにより、誰でも簡単に浄水具４の取付けが可能となり、施錠子21,41とＯリング27,47とを組み合わせたことにより、ワンタッチ式係脱機構10,11を確実に接続し接続部分の水漏れを防止する。
【００５２】
さらに、前記実施例では請求項３に対応して、前記木炭９は竹の木炭であるので、竹の漢方薬成分が水に融けだし、良質な水とすることができる。
【００５３】
また、前記実施例では請求項４に対応して、前記繊維８は不織布状であるので、銅或いは銅合金と水の接触面積を大きくすることができ、前記微量作用を高めることができる。また、前記木炭９は粉状或いは小片状であるので、木炭９と水の接触面積を大きくすることができ、脱臭作用を高めることができる。
【００５４】
さらに、前記実施例では請求項５に対応して、前記ケース７は銅または銅合金からなるので、このケース７自体によっても微量作用を奏することができるとともに、様々な器具に適合しやすく設計することができる。
【００５５】
しかも、前記実施例では請求項６に対応して、前記ケース７は合成樹脂製からなることにより、様々な器具に適合しやすく設計することができる。
【００５６】
また、前記実施例では請求項７に対応して前記ケース７の一側に前記入口５が設けられると共に、他側に前記出口６が設けられ、かつ前記入口５と出口６を結ぶ流路Ｘの途中に前記繊維８と木炭９が設けられたことにより、入口５から入った水は繊維８と木炭９を必ず通ることにより、繊維８と木炭９の作用を確実に受けて浄化される。
【実施例２】
【００５７】
図９は本発明の第２実施例を示し、上記第１実施例と同一部分に同一符号を付し、その詳細な説明を省略して詳述すると、この例では、ワンタッチ式係脱機構10を備えた入口５と散水孔である出口６を設けたノズル３である銅または銅合金製または合成樹脂製のケース本体54に木炭９と繊維８を設けており、水路Ｘに沿って流れる水を木炭９の脱臭作用の他に、繊維８の微量作用により、浄化する。  その場合においても、木炭９又は繊維８の出口側にリング体52を配することで、流量の損失を防ぐことができる。
【実施例３】
【００５８】
図10は本発明の第３実施例を示し、上記第１実施例と同一部分に同一符号を付し、その詳細な説明を省略して詳述すると、この例では、水の蛇口１にホース２を介し、浄水具４を取り付け、ホース２と浄水具４の水の入口５との間に第１のワンタッチ式係脱機構10を備えたことより、簡易浄水器として使用することも可能である。
【００５９】
尚、本考案は上記実施例に限定されるものではなく、本考案の要旨の範囲内において、種々の変形実施が可能であり、繊維８又は木炭９をケース７に収容する際、合成樹脂製の不織布に包んで収容してもよい。
【図面の簡単な説明】
【００６０】
【図１】本考案の第１実施例を示す断面図である。
【図２】同上、図１における分解斜視図である。
【図３】同上、正面図である。
【図４】同上、使用状態の正面図である。
【図５】同上、浄水具とホースを第１のワンタッチ式係脱機構により分離させた状態を示す断面図である。
【図６】同上、図５において第１のワンタッチ式係脱機構のプラグ本体における可動筒をスライドさせた状態を示す断面図である。
【図７】同上、図６において可動筒をスライドさせたままソケット本体とプラグ本体を嵌合させ、施錠子が外周溝の縁を乗り越える状態を示す断面図である。
【図８】同上、図７においてソケット本体の段部とプラグ本体の先端とを当接させた状態を示す断面図である。
【図９】本考案の第２実施例を示す断面図である。
【図１０】本考案の第３実施例を示す正面図である。
【符号の説明】
【００６１】
２  ホース
３  ノズル
４  浄水具
５  入口
６  出口
７  ケース
８  繊維（第１のカートリッジ）
９  木炭（第２のカートリッジ）
10  第１のワンタッチ式係脱機構
11  第２のワンタッチ式係脱機構
12  ソケット本体（第１のワンタッチ式係脱機構）
13  プラグ本体（第１のワンタッチ式係脱機構）
21  施錠子（第１のワンタッチ式係脱機構）
27  Ｏリング（第１のワンタッチ式係脱機構）
28  ケース
32  ソケット本体（第２のワンタッチ式係脱機構）
33  プラグ本体（第２のワンタッチ式係脱機構）
41  施錠子（第２のワンタッチ式係脱機構）
47  Ｏリング（第２のワンタッチ式係脱機構）
51  通路
52  リング体（流路面積制限部材）
Ｘ  水路
【図１】
0003121904.tif 000003
【図２】
0003121904.tif 000004
【図３】
0003121904.tif 000005
【図４】
0003121904.tif 000006
【図５】
0003121904.tif 000007
【図６】
0003121904.tif 000008
【図７】
0003121904.tif 000009
【図８】
0003121904.tif 000010
【図９】
0003121904.tif 000011
【図１０】
0003121904.tif 000012